(57)【要約】      （修正有）【課題】個人宅での使用における騒音問題を解消でき、同じマット上で異種のエクササイズを行うことができて使用性の向上にも資するエクササイズ用マットを提供する。【解決手段】エクササイズ用マット１は、エア充填口１１からエアを充填することにより互いに平行な表面３ａ及び底面とこれらに交差する外周側面３ｃとを有する立体形状となる合成樹脂製のマット本体３と、マット本体３の高さ方向に貫通する穴部５と、一端部を穴部５に密接に挿入されて垂直に保持される取り外し可能な合成樹脂製の支柱７とを有している。外周側面３ｃにはゴムチューブ等を留める留め輪１３ａ、１３ｂ、１３ｃ、１３ｄが取り付けられているとともに、ＬＥＤテープ１５が貼り付けられている。マット本体３上にてゴムチューブ等を用いたエクササイズができるとともに、支柱７を使用することによりボクササイズ（登録商標）等の異種のエクササイズを行うことができる。【選択図】図１
0003227365.tif 000002
【実用新案登録請求の範囲】
【請求項１】
エア充填口を備え、前記エア充填口からエアを充填することにより互いに平行な表面及び底面とこれらに交差する外周側面とを有する立体形状となる合成樹脂製のマット本体と、該マット本体の高さ方向に貫通する穴部と、一端部を前記穴部に挿入されて垂直に保持される取り外し可能な合成樹脂製の支柱とを有していることを特徴とするエクササイズ用マット。
【請求項２】
請求項１に記載したエクササイズ用マットにおいて、
前記マット本体が矩形で、前記穴部が、前記マット本体の表面の中央部位から短手方向の一方側に偏った位置に形成されていることを特徴とするエクササイズ用マット。
【請求項３】
請求項２に記載したエクササイズ用マットにおいて、
前記穴部が円形で、前記支柱が発泡樹脂で円筒状に形成されていることを特徴とするエクササイズ用マット。
【請求項４】
請求項１から３のいずれかに記載したエクササイズ用マットにおいて、
前記マット本体の前記外周側面に、紐状の伸縮体の一端側を留める留め輪を有していることを特徴とするエクササイズ用マット。
【請求項５】
請求項１から４のいずれかに記載したエクササイズ用マットにおいて、
前記マット本体の前記外周側面に、音又は振動に反応して色又は点滅周期が変化するＬＥＤテープが貼り付けられていることを特徴とするエクササイズ用マット。
【考案の詳細な説明】
【技術分野】
【０００１】
本考案は、床面に敷いて用いられるエクササイズ用マットに関し、特に集合住宅等での個人宅使用に好適なエクササイズ用マットに関するものである。
【背景技術】
【０００２】
この種の運動用マットとしては、ヨガやピラティス等の教室で用いられる合成樹脂製で矩形のマットが知られている。また、このマットは薄肉で可撓性を有し、不使用時には丸めて持ち運び可能となっている。
このような薄肉のマットをマンションやアパート等の集合住宅における上階の部屋で使用すると、階下に振動が伝わり、騒音問題に発展する場合がある。
このような騒音問題を解消すべく、特許文献１には、熱可塑性エラストマー等で作られた可撓性で制振性の高いシートを備えた運動用制振マットが提案されている。
【０００３】
近年のスポーツジムやフィットネスクラブ等では、厚肉のボード状マットを敷き、ボードの側面に設けられた留め輪にゴム紐やゴムチューブ等の紐状の伸縮体の一端部を留め、他端部を手首や足首に留めて伸縮体を引っ張って負荷を掛けるエクササイズが行われている。
ボード状マットの長手方向の両端部に紐状の伸縮体の一端部と他端部を留め、マット上に立った状態で伸縮体の中央部を手で引き上げて体に負荷を掛けるエクササイズも行われている。
【先行技術文献】
【特許文献】
【０００４】
【特許文献１】実開平２−８４６３号公報
【考案の概要】
【考案が解決しようとする課題】
【０００５】
特許文献１に記載の運動用制振マットは、全体の厚みが５ｍｍ弱という薄さであり、激しい運動に対してはあまり制振効果が期待できなかった。
また、１つのマットで異種のエクササイズを行うという多目的使用の観点からは必ずしも満足のいくものではなかった。この点は特許文献１に記載のマットでも変わりがない。
例えば、上述のようなボード状マットの上で全く異種のボクササイズ（登録商標）を行おうとした場合、打撃感覚を実際に得ることができる構成がマット上に存在しないため、空を切る動作とならざるを得ず、早期にモチベーションが低下して長続きがしないことが予想される。
この場合、ボクササイズ（登録商標）用の練習具を別途揃える必要があり、スペースの効率的使用及び経済的観点からの問題を否めない。
【０００６】
周知の通り、現在世の中では新型コロナウイルスの感染拡大によりスポーツジムやフィットネスクラブが閉鎖されており、この種の運動用マットの家庭内での使用要求は益々高まっている。
これに伴って、上記した騒音対策や多目的使用性の向上が望まれている。
【０００７】
本考案は上記従来の問題点に着目して為されたものであり、個人宅での使用における騒音問題を解消できるとともに、同じマット上で異種のエクササイズを行うことができて使用性の向上にも資するエクササイズ用マットの提供を、その目的とする。
【課題を解決するための手段】
【０００８】
本考案は、上記目的を達成するために為されたものであり、請求項１の考案は、エア充填口を備え、前記エア充填口からエアを充填することにより互いに平行な表面及び底面とこれらに交差する外周側面とを有する立体形状となる合成樹脂製のマット本体と、該マット本体の高さ方向に貫通する穴部と、一端部を前記穴部に挿入されて垂直に保持される取り外し可能な合成樹脂製の支柱とを有していることを特徴とするエクササイズ用マットである。
【０００９】
請求項２の考案は、請求項１に記載したエクササイズ用マットにおいて、前記マット本体が矩形で、前記穴部が、前記マット本体の表面の中央部位から短手方向の一方側に偏った位置に形成されていることを特徴とするエクササイズ用マットである。
【００１０】
請求項３の考案は、請求項２に記載したエクササイズ用マットにおいて、前記穴部が円形で、前記支柱が発泡樹脂で円筒状に形成されていることを特徴とするエクササイズ用マットである。
【００１１】
請求項４の考案は、請求項１から３のいずれかに記載したエクササイズ用マットにおいて、前記マット本体の前記外周側面に、紐状の伸縮体の一端側を留める留め輪を有していることを特徴とするエクササイズ用マットである。
【００１２】
請求項５の考案は、請求項１から４のいずれかに記載したエクササイズ用マットにおいて、前記マット本体の前記外周側面に、音又は振動に反応して色又は点滅周期が変化するＬＥＤテープが貼り付けられていることを特徴とするエクササイズ用マットである。
【考案の効果】
【００１３】
本考案によれば、個人宅での使用における騒音問題を解消できるとともに、同じマット上で異種のエクササイズを行うことができて使用性の向上にも資するエクササイズ用マットを提供することができる。
【図面の簡単な説明】
【００１４】
【図１】本考案の実施の形態に係るエクササイズ用マットを示す斜視図である。
【図２】図１で示したエクササイズ用マットを底面側から見た斜視図である。
【図３】図１で示したエクササイズ用マットの支柱を取り外した状態を示す斜視図である。
【図４】図１で示したエクササイズ用マットを用いたエクササイズの一例を示す斜視図である。
【図５】図１で示したエクササイズ用マットを用いたエクササイズの他例を示す斜視図である。
【図６】図１で示したエクササイズ用マットを用いた打撃系のエクササイズの一例を示す斜視図である。
【図７】図１で示したエクササイズ用マットを用いた打撃系のエクササイズの他例を示す斜視図である。
【考案を実施するための形態】
【００１５】
以下、本考案の実施の形態について図を参照して説明する。
図１に示すように、本実施の形態に係るエクササイズ用マット１は、内部にエアが充填されたマット本体３と、該マット本体３の高さ方向に貫通する穴部５と、一端部を穴部５に挿入されて略垂直に保持される取り外し可能な合成樹脂製の支柱７とを有している。
マット本体３は、電動又は手動のエアポンプ（不図示）に接続されるエア充填口１１を備え、エア充填口１１からエアを充填することにより、互いに平行な表面３ａ及び底面３ｂ（図２参照）とこれらに交差（直交）する外周側面３ｃとを有する立体形状となる。すなわち、マット本体３は、平面視が矩形で高さを有する立体形状を有している。エア充填口１１は市販のエアバルブで構成されている。
マット本体３は、軟質のポリ塩化ビニル（ＰＶＣ）シートで構成されている。
【００１６】
４辺部分からなる外周側面３ｃのマット本体３の４隅近傍には、ゴムチューブ等からなる紐状の伸縮体の一端部又は両端部を留めるための円弧状の留め輪１３が１辺に付き２つずつ取り付けられている（１３ａ〜１３ｈ；１３ｅ〜１３ｈについては図６参照）。
また、外周側面３ｃにおける留め輪１３よりも底面３ｂ側には、全周に亘って、音又は振動に反応して色又は点滅周期（点灯パターン）が変化するＬＥＤテープ１５が貼り付けられている。ＬＥＤテープ１５は市販のものを採用しており、不図示の両面テープやテープ状の面ファスナーを介して貼り付けられている。ＬＥＤテープ１５の点灯パターン等の変化は不図示のリモコンで簡単に調整できるようになっている。
【００１７】
本実施の形態におけるエクササイズ用マット１の大きさは、長手方向の幅Ｌが２０００ｍｍ、短手方向の幅Ｗが１２００ｍｍ、高さＨが１５０ｍｍ、支柱７のマット表面からの高さｈが１６００ｍｍ、外径ｄが３００ｍｍである。
穴部５は、マット本体３の中央部位（中心部位）Ｃから短手方向の一方側に偏った位置に形成されており、その大きさ（直径）は支柱７をガタツキなく密接に挿入できる大きさに設定されている。換言すれば、支柱７は弾性変形を利用して穴部５に圧入されている。
マット本体３の高さＨ（１５０ｍｍ）は穴部５の深さであり、これによって支柱７は安定に垂直保持されている。
図２に示すように、マット本体３の穴部５に対応する底面３ｂ側には、穴部５を塞ぐ閉塞シート１７が貼り付けられている。
【００１８】
支柱７は、発泡樹脂で円筒状に形成されており、主として打撃系のエクササイズに用いられる。エクササイズの種類によって邪魔になる場合には、図３に示すように、支柱７はマット本体３から取り外される。
【００１９】
以下にエクササイズ用マット１の使用方法を説明する。
図４は、マット本体３の表面３ａにおいて支柱７を取り外さない状態で足の持ち上げ運動を行う例を示している。足首にはレッグバンド１９が嵌められており、レッグバンド１９と留め輪１３ｇ、１３ｈ（図６参照；図４では隠れて見えず）との間には短手のゴムチューブ２１が接続されている。ゴムチューブ２１を引き伸ばしながら足を上げることにより負荷を掛けて足の筋肉を鍛えることができる。
エクササイズによる音や振動でＬＥＤテープ１５の色が変わったり、点灯パターンが変わったりするので、エクササイズの雰囲気を高めることができる。
また、マット本体３上で色々な動きをしても、マット本体３内に充填された空気圧で衝撃が吸収され、底面３ｂを介して床面に音や振動が伝わることが抑制される。すなわち、階下への騒音を抑制することができる。
【００２０】
図５は、支柱７を取り外して手に負荷を掛ける運動を示している。マット本体３の対角的位置に位置する留め輪１３間に長いゴムチューブ２３が取り付けられており、両手でゴムチューブ２３を引き上げることにより、腕や上半身を鍛えることができる。
支柱７は取り外さなくてもよいが、取り外すことによりマット本体３上での動きの自由度を高めることができる。
【００２１】
図６は、パンチによる打撃系のエクササイズ（ボクササイズ（登録商標））での使用例である。支柱７は発泡樹脂で形成されているので弾力性があり、打撃で変形し、元に戻ることが繰り返される。実際に打撃の感触が得られる対象物（支柱７）が存在するので、モチベーションも低下しない。
図７に示すように、支柱７を使用することにより、マット本体３上でキックによる打撃系のエクササイズを行うこともできる。
これらの打撃系のエクササイズでは足の動きが激しいが、上述した手や足の筋肉鍛錬系のエクササイズと同様に、マット本体３内に充填された空気圧で衝撃が吸収され、底面３ｂを介して床面に音や振動が伝わることが抑制される。すなわち、階下への騒音を抑制することができる。
支柱７は中心部に貫通孔を有する円筒状に形成されているので、軽量化と打撃時の変形容易性の向上が図られている。
また、マット本体３は上述のようにある程度の高さ（厚み）をもったエアマットであることから高いクッション性を有している。従って、マット本体３上でジャンプすれば足をついたときの大きな反発力で高く飛び上がることができトランポリン運動に近い体幹トレーニングを行うことが可能である。
【００２２】
不使用時にはマット本体３内のエアを抜くことによりコンパクトに折り畳むことができ、省スペース化によって収納、保管が容易となる。この場合、支柱７もエアを充填して膨らませる構成とすれば、省スペース化がさらに向上する。
【００２３】
本考案では、マット本体３をエアマットとしたが故に高さ（ここではＨ＝１５０ｍｍ）が存在し、その高さを利用して穴部５を設け、穴部５に支柱７を立設することにより、本来のマット上で行われるエクササイズとは全く種類が異なる打撃系の構成を共存させることができる。上記のように支柱７が邪魔になる場合には引き抜いて取り外せばよく、簡単な操作で支柱７が無い構成と支柱７が存在する構成を任意に選択することができる。
支柱７は、打撃系のエクササイズに限らず、マット本体３上に立った状態で片足を上方に上げる運動を行うときの手を支える部材としての使い方も可能となる。
【００２４】
以上、本考案の実施の形態について詳述してきたが、具体的構成は、上記の実施の形態に限定されるものではなく、本考案の趣旨を逸脱しない範囲における設計の変更があっても考案に含まれる。
例えば、マット本体３の材質はＰＶＣに限定されず、他の軟質の合成樹脂シートでもよい。また、マット本体３の外周側面３ｃを垂直面としたが、外側に円弧状に膨らんだ形状としてもよい。
また、支柱７は円柱状としてもよく、材質は発泡樹脂に限定されない。
さらにまた、支柱７を設ける穴部５をマット本体３の表面３ａの領域内としたが、マット本体３の側面に出島状の凸部を連設し、その凸部に穴部を設けて支柱７を取り外し可能に立設する構成としてもよい。このようにすれば、支柱７を取り外すことなく表面３ａ全体を非打撃系のエクササイズ領域とすることができる。
【符号の説明】
【００２５】
１…エクササイズ用マット  ３…マット本体        ３ａ…表面      ３ｂ…底面
３ｃ…外周側面            ５…穴部              ７…支柱      １１…エア充填口
１３…留め輪              １５…ＬＥＤテープ    １７…閉塞シート
１９…レッグバンド        ２１、２３…ゴムチューブ
【図１】
0003227365.tif 000003
【図２】
0003227365.tif 000004
【図３】
0003227365.tif 000005
【図４】
0003227365.tif 000006
【図５】
0003227365.tif 000007
【図６】
0003227365.tif 000008
【図７】
0003227365.tif 000009